(57)【要約】【課題】メニュー画面等のオンスクリーン表示のサイズ、位置、透過率を、ユーザー所望のレベルに自由に変更が可能であって、かつ視聴中の番組等の映像を妨げないような画面表示を可能とする画像表示装置を有するＡＶ機器を提供すること。【解決手段】メニュー画面等の表示位置、サイズ、透過率等の表示属性を変更する場合に、リモコンの方向性をともなうキーを操作することによりそれらの表示属性を連続的に遷移させ、当該連続的に遷移する表示属性にしたがって画像表示装置に暫定的に表示させ、当該連続的に遷移する暫定表示の任意の一つを選択して決定する画面表示設定装置を含むＡＶ機器を提供する。【選択図】図１
2006157684.tif 000002
【特許請求の範囲】
【請求項１】
少なくとも画像表示装置と画面表示設定装置と遠隔操作ユニットとを備え、オンスクリーン表示画面を、そのサイズ、表示位置および透過率の表示属性にしたがって、画面表示装置に表示するようにしたＡＶ機器であって、
当該画面表示設定装置は、
当該表示属性の少なくとも一つを、当該画像表示装置と当該遠隔操作ユニットとによって、一定の範囲で連続的に遷移させるための表示属性遷移手段と、
当該表示属性遷移手段により連続的に遷移するようにされた表示属性にしたがって、当該オンスクリーン表示画面を当該画像表示装置に暫定的に表示するための暫定表示手段と、
当該暫定表示手段により当該画像表示装置に暫定的に表示された連続的に遷移する表示の任意の一つを選択して、選択した表示をオンスクリーン表示画面の表示として決定するための表示決定手段と、
からなることを特徴とする画面表示設定装置を含むＡＶ機器。
【請求項２】
少なくとも画像表示装置と画面表示設定装置と遠隔操作ユニットとを備え、オンスクリーン表示画面を、そのサイズ、表示位置および透過率の表示属性にしたがって、画面表示装置に表示するようにしたＡＶ機器における画面表示の設定方法であって、
当該表示属性の少なくとも一つを、当該画像表示装置と当該遠隔操作ユニットとによって、一定の範囲で連続的に遷移させる表示属性遷移ステップと、
当該表示属性遷移ステップにより連続的に遷移するようにされた表示属性にしたがって、当該オンスクリーン表示画面を当該画像表示装置に暫定的に表示する暫定表示ステップと、
当該暫定表示ステップにより当該画像表示装置に暫定的に表示された連続的に遷移する表示の任意の一つを選択して、選択した表示をオンスクリーン表示画面の表示として決定する表示決定ステップと、
からなるオンスクリーン表示画面の表示設定方法。
【発明の詳細な説明】
【技術分野】
【０００１】
本発明は、オンスクリーン表示のできる画像表示装置を有するＡＶ機器に関し、特にオンスクリーン表示を含む表示画面のサイズ、表示位置、透過率を自由に変更できる画像表示装置を有するＡＶ機器に関する。さらに、本発明は、オンスクリーン表示のできる画像表示装置を有するＡＶ機器におけるオンスクリーン表示画面を含む表示画面の表示設定方法に関し、特にオンスクリーン表示を含む表示画面のサイズ、表示位置、透過率を自由に変更できる表示設定方法に関する。
【背景技術】
【０００２】
液晶テレビ、プラズマテレビ、リアプロジェクション型テレビ等、近年、ＡＶ機器における画像表示装置の大画面化が著しい進展を遂げている。ＤＶＤプレーヤ等の画像再生装置から画像を再生する場合の画像表示装置についても、同様の状況にある。一方、ユーザーがテレビ番組や録画記録の再生により所望の画像を視聴している場合に、その視聴番組内容や視聴環境などそのときどきの状況に応じて、テレビ等のＡＶ機器の操作性や機能を最適に設定するために、通常のＡＶ機器に多様なメニュー画面が備えられていることは、もはや説明を要しないほど一般化している。
【０００３】
大型の表示画面にメニュー画面のオンスクリーン表示を行うと、表示画面の大型化に比例してオンスクリーン表示領域がそれだけ大きくなり、さらに表示される文字等のサイズもそれだけ大きくなってしまう。したがって、初期設定の段階でメニュー画面のサイズが表示画面の全体を覆わないような適当なサイズに設定されていたとしても、テレビ番組もしくは再生画像を視聴中のユーザーがメニュー画面を大型画面に表示させたときに、表示画面上に表示されるメニュー画面とそれを構成する文字等のサイズが必要以上に大きく表示されるので、ユーザーにとっては円滑な視聴の妨げとなることがある。
【０００４】
また、初期設定によりメニュー画面が予め設定された所定の画面位置に表示されてしまうので、たとえば映画を視聴中に重要な字幕が隠されてしまうなど、ユーザーにとって好ましくない事態が生ずることがある。さらに、初期設定によってメニュー画面の背景が半透明でなく、あるいは半透明であっても透過率が低く設定されているような場合、メニュー画面が重なることによって、視聴中の画像が隠れてしまうといった不都合の生ずることがある。
【０００５】
上述の問題点を克服するために、これまでさまざまな工夫が開示されている。特許文献１では、リモートコントローラ等の入力装置と表示画面との間の距離を検出して、その操作距離に応じたサイズと表示位置を一定のプログラムで自動的に算定することにより、メニュー画面等のオンスクリーン表示を適正に行わせるための工夫が開示されている。さらに、特許文献２では、オンスクリーン表示画面の透過率を、透明率切り替えボタンにより、通常の透過率と半透明の透過率との間で選択できるようにした工夫が開示されている。
【０００６】
【特許文献１】特開平７−２７４０８７号公報
【特許文献２】特開２００１−２２３９５５号公報
【発明の開示】
【発明が解決しようとする課題】
【０００７】
上述のとおり、特許文献１により、メニュー画面を適正なサイズまたは表示位置に連続的に変更することが可能となったが、一定のプログラムに基づいてリモートコントローラ等の入力装置と表示画面との距離に対応して機械的にメニュー画面の変更が実施されてしまうので、たとえば複数のユーザーが同時に同一のテレビ受像機で画像を視聴している場合において、表示画面から最も離れた位置で視聴しているユーザーがリモートコントローラを操作した場合と、表示画面に最も近い位置で視聴しているユーザーがリモートコントローラを操作した場合とでは、変更されるメニュー画面のサイズも位置も異なってしまうことになる。ユーザーの視聴状況に応じた最適なメニュー画面への自由な変更ができないので、表示されたメニュー画面が視聴の邪魔になるという問題点が残る。
【０００８】
一方、特許文献２により、オンスクリーン表示画面の透過率をコントロールできるようになったが、透過率の選択肢が通常の透過率と半透明の透過率の二つしか用意されないという限定があるので、もう少し透明度を強めたいといったユーザーの希望に応えられないという問題点が残る。
【０００９】
従来技術によるメニュー画面の表示設定を変更するための一般的な方法は、図８に示すとおりである。テレビで番組を視聴中のユーザーがメニュー画面を開いたところ（Ｓ１０）、メニュー画面の背景の透過率が通常の透過率ゼロに設定されており、視聴中の番組がメニュー画面によって一部隠されてしまった。そこで、透過率を変更しようと思い、当該メニュー画面から透過率の設定を変更する項目を選択する（Ｓ２０）。次に、ユーザーは透過率の設定変更を当該メニュー画面を通して操作する（Ｓ３０）。ただし、Ｓ３０でユーザーに許される透過率設定変更の選択肢は、透過率ゼロと透過率５０％の二者択一でしかないので、この場合、ユーザーとしては透過率５０％を選択する以外に対応することができない。もう少しメニュー画面の透過率を高めて、視聴中の番組が邪魔されないようにしたいと思っても、これ以上はどうすることもできなかったわけである。
【００１０】
本発明は、従来技術の上記問題点を克服するために、メニュー画面等のオンスクリーン表示について、そのサイズ、位置、透過率を、それぞれユーザー所望のレベルに自由に変更が可能であって、かつユーザーが視聴中の番組等の映像を妨げないような画面表示を可能とする画像表示装置を有するＡＶ機器を提供することを課題とする。
【課題を解決するための手段】
【００１１】
上記課題を解決するために、本発明は、少なくとも画像表示装置と画面表示設定装置と遠隔操作ユニットとを備え、オンスクリーン表示画面を、そのサイズ、表示位置および透過率の表示属性にしたがって、画面表示装置に表示するようにしたＡＶ機器であって、当該画面表示設定装置は、当該表示属性の少なくとも一つを、当該画像表示装置と当該遠隔操作ユニットとによって、一定の範囲で連続的に遷移させるための表示属性遷移手段と、当該表示属性遷移手段により連続的に遷移するようにされた表示属性にしたがって、当該オンスクリーン表示画面を当該画像表示装置に暫定的に表示するための暫定表示手段と、当該暫定表示手段により当該画像表示装置に暫定的に表示された連続的に遷移する表示の任意の一つを選択して、選択した表示をオンスクリーン表示画面の表示として決定するための表示決定手段とからなることを特徴とする画面表示設定装置を含むＡＶ機器を提供するものである。
【００１２】
さらに本発明は、少なくとも画像表示装置と画面表示設定装置と遠隔操作ユニットとを備え、オンスクリーン表示画面を、そのサイズ、表示位置および透過率の表示属性にしたがって、画面表示装置に表示するようにしたＡＶ機器におけるメニュー画面の表示設定方法であって、
当該表示属性の少なくとも一つを、当該画像表示装置と当該遠隔操作ユニットとによって、一定の範囲で連続的に遷移させる表示属性遷移ステップと、当該表示属性遷移ステップにより連続的に遷移するようにされた表示属性にしたがって、当該オンスクリーン表示画面を当該画像表示装置に暫定的に表示する暫定表示ステップと、当該暫定表示ステップにより当該画像表示装置に暫定的に表示された連続的に遷移する表示の任意の一つを選択して、選択した表示をメニュー画面の表示として決定する表示決定ステップとからなるオンスクリーン表示画面の表示設定方法を提供するものである。
【発明の効果】
【００１３】
本発明によれば、テレビ受像機等の画像表示装置の表示画面にメニュー画面を表示する場合に、リモートコントローラ等の遠隔操作ユニットの簡単な操作によって、当該メニュー画面が視聴中の画像の邪魔にならないように、当該メニュー画面のサイズ、表示位置、透過率をユーザー所望のレベルで自由に設定することが可能になる。
【発明を実施するための最良の形態】
【００１４】
本発明による具体的な実施形態を図を参照して説明する。図１は、テレビジョン受像機（以下テレビ受像機と記す）を例にして、本発明の実施形態によるメニュー画面表示設定装置を含むＡＶ機器の構成を示すブロック図である。図１に示すテレビジョン受像機１は、少なくともマイクロコンピュータ２（以下マイコンと記す）、テレビジョンモニタ３（以下テレビモニタと記す）、リモートコントローラ４（以下リモコンと記す）、リモートコントローラ受光部５、メモリ６を備えている。ここで、マイコン２は画面表示設定装置、テレビモニタ３は画像表示装置、リモコン４は遠隔操作ユニットに、それぞれ該当する。
【００１５】
さらに図１には、マイコン２内部のブロック図が示されている。キー入力処理部は、リモコン４や機器本体キーから入力される各キーコード入力の受付処理を行う。キー判別処理部は、前記キー入力処理部で受付処理された各キーコードを判別して、後述する動作制御部や遷移操作制御部に送信する。動作制御部は、チャンネル切換え、音量の変更、電源ＯＮ／ＯＦＦ等、テレビ受像機の基本動作を制御する。制御部は、当該マイコン２内のＣＰＵを示しており、前記動作制御部、後述の遷移操作制御部、後述の表示制御部等の制御をはじめとする機器全体の制御のほか、外部メモリへの読込みや書込み記憶の制御も行っている。メモリ６は、Ｅ２ＰＲＯＭ等の不揮発性メモリであって、マイコン２の初期値、チャンネルデータ等のデータを記憶する。
【００１６】
遷移操作制御部は、ユーザーのリモコン４操作等により入力されたキーコードがメニュー画面表示の設定に係わる特定のキーコードであることを前記キー判別処理部が判別した場合に、当該キー判別処理部から送信される当該特定のキーコードに対応するメニュー画面の表示位置設定、画面透過率設定、画面サイズ設定に係わるデータを入手し、当該データを当該特定のキーコードに対応する後述の表示位置制御部、画面透過率制御部、画面サイズ制御部に送信する。
【００１７】
表示位置制御部は、現在表示されているメニュー画面のテレビモニタ３上における表示位置のデータを把握し、メニュー画面の表示位置をテレビモニタ３上で遷移させるためのデータを算出し、前記遷移操作制御部から送信されたメニュー画面の表示位置設定に係わるデータを把握し、それらのデータをすべて後述する画面表示制御部に送信する。
【００１８】
画面透過率制御部は、現在表示されているメニュー画面のテレビモニタ３上における画面透過率のデータを把握し、メニュー画面の画面透過率をテレビモニタ３上で遷移させるためのデータを算出し、前記遷移操作制御部から送信されたメニュー画面の画面透過率設定に係わるデータを把握し、それらのデータをすべて後述する画面表示制御部に送信する。
【００１９】
画面サイズ制御部は、現在表示されているメニュー画面のテレビモニタ３上におけるサイズのデータを把握し、メニュー画面のサイズをテレビモニタ３上で遷移させるためのデータを算出し、前記遷移操作制御部から送信されたメニュー画面のサイズ設定に係わるデータを把握し、それらのデータをすべて後述する画面表示制御部に送信する。
【００２０】
画面表示制御部は、メニュー画面表示やＯＳＤ（オンスクリーンディスプレイ）表示等の表示制御を行っており、ユーザーの操作に基づいて設定、変更された画面表示位置や画面透過率や画面サイズにより表示処理を行う。前述の表示位置制御部、画面透過率制御部、画面サイズ制御部等からデータを入手し、それぞれのデータに対応して画面表示に係わる制御処理を行っている。
【００２１】
以上の構成を有するテレビ受像機において、テレビモニタ３とリモコン４とマイコン２とが本発明における表示属性遷移手段、暫定表示手段および表示決定手段を構成する。
【００２２】
以上の構成によるテレビ受像機において、以下、図２ないし図７を参照しつつ本発明によるメニュー画面の表示設定方法を詳細に説明する。図２は、本発明による実施例を説明するメニュー画面の表示設定変更の手順を示すフローチャートである。たとえば、テレビで映画を視聴中のユーザーが、現在視聴中のチャンネルとは異なるチャンネルで、今から３０分後に放映が開始される音楽番組をタイマー録画予約しようと思い立ち、メニュー画面を開いたところ（Ｓ１００）、図３に示すように、視聴中の映像の主要な部分が当該メニュー画面によって隠されてしまったとする。
【００２３】
ここでユーザーは、当該メニュー画面の表示位置を変更して、現在視聴中の映像の邪魔にならないような位置に移動させるため、リモコン４を操作して、図３（Ａ）のように設定メニュー画面の複数項目のなかから画面表示設定の項目を選択する（Ｓ２００）。画面表示設定の項目を選択すると、設定メニュー画面に、図３（Ｂ）に示すように、画面表示設定の対象となる表示位置と透過率とサイズの三つの項目が表示されるが、メニュー画面の表示位置を変更するために、ユーザーはリモコン４を操作して、上記三つの項目のなかから表示位置を選択する（Ｓ３００）。ここでは、リモコン４から入力されたキーコードデータがキー判別処理部により判別され、遷移操作制御部から表示位置制御部を経由して画面表示制御部に送信されている。
【００２４】
上記のように画面表示設定メニューで表示位置を選択すると、上記表示位置制御部はメニュー画面の表示位置をテレビモニタ３上で遷移させるためのデータを算出し、画面表示制御部を経由して、テレビモニタ３上に図４（Ａ）の画面が表示される。画面上では、設定メニュー画面の周囲を取囲む配置で８方向の矢印が表示される。当該８方向の矢印は、それぞれリモコン４の既存の設定＋／−キーや移動キー、もしくは数値キーに対応している。たとえば図７に示したリモコン４において、数値キーの配列の中心にある５を決定キーとし、５のキーを取囲む１、４、７、８、９、６、３、２の八個のキーに、上記８方向の矢印への遷移に対応させることができる。
【００２５】
ユーザーが当該メニュー画面をテレビモニタ３の左上隅に移動させる場合は、図４（Ｂ）に示すように、８方向の矢印のうち左上方向を向いた矢印に対応するリモコン４の特定のキーを一回押下げることにより、所定の間隔でメニュー画面の位置の移動が開始する。当該所定間隔については、初期設定でデフォルトとするほか、適宜メニュー画面に項目を設けて、１０ｍｍ、２０ｍｍ等のなかからユーザーが選択して設定することも可能である。また、当該キーを長押しすることにより、当該メニュー画面を長押しした時間連続的に選択した矢印方向に遷移させることができる（Ｓ４００）。ここでは、リモコン４から入力されたキーコードデータに基づいて、表示位置制御部がメニュー画面の表示位置をテレビモニタ３上で遷移させるためのデータを算出し、当該データを画面表示制御部に送信している。上記のように、選択した矢印方向にメニュー画面を連続的に遷移させるステップが表示属性遷移ステップに該当し、連続的に矢印方向に遷移するメニュー画面をテレビモニタ３上に表示するステップが暫定表示ステップに該当する。
【００２６】
なお上記のようにメニュー画面が連続的に所定間隔で遷移しながら表示されている暫定表示中に、図４（Ｃ）のように、先に押下げたキーを再度押下げることにより、一定間隔で遷移している画面を一旦停止させることができる。また、キーの長押しにより暫定表示をしている場合は、当該キーの押下げを解除することで、一定間隔で遷移している画面を一旦停止させることができる。いずれの場合も、一旦停止した画面を改めて遷移させるときは、遷移させる方向に対応するキーを押下げることにより対応が可能である。
【００２７】
所望の表示位置にメニュー画面が到達した場合、ユーザーは上記の方法により一定間隔の遷移を一旦停止させ、決定キーを押下げると、図４（Ｄ）に示すようにユーザーに決定を促す確認画面が表示される（Ｓ５００）。ここで、「はい」を選択すると、テレビモニタ３に一旦停止状態で表示されているメニュー画面の表示位置がユーザーにより選択された表示位置として決定され、メモリ６に記憶されることにより、以後、メニュー画面はこの段階で決定した表示位置に表示されることになる。「いいえ」を選択すると、図４（Ｃ）の一旦停止画面に戻る。ここでは、リモコン４から入力されたキーコードデータに基づいて、表示位置制御部が遷移操作制御部から送信されたメニュー画面の表示位置設定に係わるデータを把握し、当該データを画面表示制御部に送信している。上記のように、所望の表示位置に到達したメニュー画面を決定するステップが表示決定ステップに該当する。
【００２８】
以上のステップにより、視聴中の映画鑑賞の邪魔にならない表示位置にメニュー画面を移動することができたので、ユーザーは画面表示設定を終了し（Ｓ６００のＹＥＳ）、当初考えていた現在視聴中のチャンネルとは異なるチャンネルで、今から３０分後に放映が開始される音楽番組をタイマー録画予約するために、Ｓ７００でＮＯを選択してメニュー画面に戻り（Ｓ１００）、改めてタイマー録画予約の操作を開始する。
【００２９】
一方、Ｓ５００のステップでメニュー画面の表示位置を選択して決定したが（Ｓ５００のＹＥＳ）、メニュー画面のサイズが大きすぎて映画の鑑賞の邪魔になる場合、ユーザーは画面サイズの変更を行うことになる。画面表示設定の画面に戻るために、ユーザーはＳ６００でＮＯを選択し、Ｓ２００に戻る。図３（Ｂ）の画面表示設定メニュー画面が表示されるので、ここでサイズを選択する（Ｓ３００）。
【００３０】
テレビモニタ３上に図５（Ａ）の画面が表示される。画面上では、矩形をした設定メニュー画面の一つの対角線に対応する２方向の矢印が表示される。当該２方向の矢印は、それぞれリモコン４の既存の設定＋／−キーや移動キー、もしくは数値キーに対応している。たとえば図７に示したリモコン４において、数値キーの１と９のキーに、上記２方向の矢印への遷移に対応させることができる。
【００３１】
ユーザーが当該メニュー画面をテレビモニタ３の左上隅方向にさらに縮小させる場合は、図５（Ｂ）に示すように、２方向の矢印のうち左上隅方向を向いた矢印に対応するリモコン４の特定のキーを一回押下げることにより、所定の間隔でメニュー画面の縮小が開始する。また、当該キーを長押しすることにより、当該メニュー画面を長押しした時間連続的に選択した矢印方向に縮小させることができる（Ｓ４００）。逆に、メニュー画面を拡大して表示させたい場合は、２方向の矢印のうち右下隅方向を向いた矢印に対応するリモコン４の特定のキーを一回押下げることにより、所定の間隔でメニュー画面の拡大が開始する。いずれの場合も、リモコン４から入力されたキーコードデータに基づいて、画面サイズ制御部がメニュー画面のサイズをテレビモニタ３上で遷移させるためのデータを算出し、当該データを画面表示制御部に送信している。上記のように、選択した矢印方向にメニュー画面を連続的に遷移させるステップが表示属性遷移ステップに該当し、連続的に矢印方向に遷移するメニュー画面をテレビモニタ３上に表示するステップが暫定表示ステップに該当する。
【００３２】
なお上記のようにメニュー画面が連続的に所定間隔で遷移しながら表示されている暫定表示中に、図５（Ｃ）のように、先に押下げたキーを再度押下げることにより、一定間隔で遷移している画面を一旦停止させることができる。また、キーの長押しにより暫定表示をしている場合は、当該キーの押下げを解除することで、一定間隔で遷移している画面を一旦停止させることができる。いずれの場合も、一旦停止した画面を改めて遷移させるときは、遷移させる方向に対応するキーを押下げることにより対応が可能である。
【００３３】
所望のサイズにメニュー画面が到達した場合、ユーザーは上記の方法により一定間隔の遷移を一旦停止させ、決定キーを押下げると、図５（Ｄ）に示すようにユーザーに決定を促す確認画面が表示される（Ｓ５００）。ここで、「はい」を選択すると、テレビモニタ３に一旦停止状態で表示されているメニュー画面のサイズがユーザーにより選択されたサイズとして決定され、メモリ６に記憶されることにより、以後、メニュー画面はこの段階で決定したサイズで表示されることになる。「いいえ」を選択すると、図５（Ｃ）の一旦停止画面に戻る。ここでは、リモコン４から入力されたキーコードデータに基づいて、画面サイズ制御部が遷移操作制御部から送信されたメニュー画面のサイズ設定に係わるデータを把握し、当該データを画面表示制御部に送信している。上記のように、所望のサイズに到達したメニュー画面を決定するステップが表示決定ステップに該当する。
【００３４】
以上のステップにより、視聴中の映画鑑賞の邪魔にならないサイズにメニュー画面を縮小することができたので、ユーザーは画面表示設定を終了し（Ｓ６００のＹＥＳ）、当初考えていた現在視聴中のチャンネルとは異なるチャンネルで、今から３０分後に放映が開始される音楽番組をタイマー録画予約するために、Ｓ７００でＮＯを選択してメニュー画面に戻り（Ｓ１００）、改めてタイマー録画予約の操作を開始する。
【００３５】
一方、Ｓ５００のステップでメニュー画面のサイズを選択して決定したが（Ｓ５００のＹＥＳ）、メニュー画面の透過率が低すぎて映画の鑑賞の邪魔になる場合、ユーザーは画面透過率の変更を行うことになる。画面表示設定の画面に戻るために、ユーザーはＳ６００でＮＯを選択し、Ｓ２００に戻る。図３（Ｂ）の画面表示設定メニュー画面が表示されるので、ここで透過率を選択する（Ｓ３００）。
【００３６】
テレビモニタ３上に図６（Ａ）の画面が表示される。画面上では、現在の透過率を示すバーが表示される。リモコン４の方向キーに対応させて、たとえば図７に示したリモコン４において、方向キーＲＩＧＨＴとＬＥＦＴのキーに透過率高低の遷移を対応させることができる。本事例では、ＬＥＦＴキーを押すとバーが増加して透過率が高くなり、透明度が高まるようにしてあるものとする。
【００３７】
ユーザーが当該メニュー画面の透過率を高める場合は、図６（Ｂ）に示すように、リモコン４のＬＥＦＴキーを一回押下げることにより、所定の間隔でメニュー画面の透過率が上昇する。また、当該キーを長押しすることにより、当該メニュー画面を長押しした時間連続的に透過率を上昇させることができる（Ｓ４００）。逆に、メニュー画面の透過率を低めて表示させたい場合は、リモコン４のＲＩＧＨＴキーを一回押下げることにより、所定の間隔でメニュー画面の透過率が下降する。いずれの場合も、リモコン４から入力されたキーコードデータに基づいて、画面透過率制御部がメニュー画面の透過率をテレビモニタ３上で遷移させるためのデータを算出し、当該データを画面表示制御部に送信している。上記のように、選択した矢印方向にメニュー画面を連続的に遷移させるステップが表示属性遷移ステップに該当し、連続的に矢印方向に遷移するメニュー画面をテレビモニタ３上に表示するステップが暫定表示ステップに該当する。
【００３８】
なお上記のようにメニュー画面が連続的に所定間隔で遷移しながら表示されている暫定表示中に、図６（Ｃ）のように、先に押下げた方向キーを再度押下げることにより、一定間隔で遷移している画面を一旦停止させることができる。また、キーの長押しにより暫定表示をしている場合は、当該キーの押下げを解除することで、一定間隔で遷移している画面を一旦停止させることができる。いずれの場合も、一旦停止した画面を改めて遷移させるときは、遷移させる方向に対応する方向キーを押下げることにより対応が可能である。
【００３９】
所望の透過率にメニュー画面が到達した場合、ユーザーは上記の方法により一定間隔の遷移を一旦停止させ、決定キーを押下げると、図６（Ｄ）に示すようにユーザーに決定を促す確認画面が表示される（Ｓ５００）。ここで、「はい」を選択すると、テレビモニタ３に一旦停止状態で表示されているメニュー画面の透過率がユーザーにより選択された透過率として決定され、メモリ６に記憶されることにより、以後、メニュー画面はこの段階で決定した透過率で表示されることになる。「いいえ」を選択すると、図６（Ｃ）の一旦停止画面に戻る。ここでは、リモコン４から入力されたキーコードデータに基づいて、画面透過率制御部が遷移操作制御部から送信されたメニュー画面の透過率設定に係わるデータを把握し、当該データを画面表示制御部に送信している。上記のように、所望の透過率に到達したメニュー画面を決定するステップが表示決定ステップに該当する。
【００４０】
以上のステップにより、視聴中の映画鑑賞の邪魔にならない透過率にメニュー画面を変更することができたので、ユーザーは画面表示設定を終了し（Ｓ６００のＹＥＳ）、当初考えていた現在視聴中のチャンネルとは異なるチャンネルで、今から３０分後に放映が開始される音楽番組をタイマー録画予約するために、Ｓ７００でＮＯを選択してメニュー画面に戻り（Ｓ１００）、改めてタイマー録画予約の操作を開始する。
【００４１】
以上の実施例の説明においては、メニュー画面の表示属性、すなわち表示位置、サイズ、透過率のいずれを変更する場合においても、方向性をともなうキー操作によりそれらの表示属性を遷移させているが、キー押下げにより遷移可能な一定範囲の限界点に到達した場合は、限界点から折返す形で自動的に逆方向に遷移を開始して暫定表示することも可能であり、また初期値もしくはセンター値に復するように設定することも可能である。さらに、そのいずれかをメニュー画面によりユーザーに選択させることも可能である。また、以上の実施例の説明においては、ユーザーにより決定された表示属性、すなわち表示位置、サイズ、透過率は、メモリ６に記憶されることにより、以後、メニュー画面はその時点で決定された表示位置、サイズ、透過率により自動的に表示されるようにしてあるが、その都度、初期値もしくはセンター値に復するように設定することも可能であり、またそのいずれかをメニュー画面によりユーザーに選択させることも可能である。
【００４２】
本発明によるメニュー画面の表示設定方法を備えるＡＶ機器は、テレビ受像機にかぎらず、ＤＶＤ再生装置等の画像データを表示するＡＶ機器はすべて対象となる。また、本発明によるメニュー画面の表示設定方法はマイコンのみの設定で対応可能であり、遠隔操作ユニットについてはジョイスティックやダイヤル式の機構を備えたリモコン送信機等は一切不要であってリモコンのみで対応可能につき、コスト面での圧迫を心配する必要がない。
【図面の簡単な説明】
【００４３】
【図１】本発明の実施例を説明するメニュー画面表示設定装置を含むＡＶ機器の構成を示すブロック図
【図２】本発明の実施例を説明するメニュー画面の表示設定変更の手順を示すフローチャート
【図３】本発明の実施例を説明するメニュー画面の一例を示す図
【図４】本発明の実施例を示す表示位置変更の設定画面の一例を示す図
【図５】本発明の実施例を示す画面サイズ変更の設定画面の一例を示す図
【図６】本発明の実施例を示す画面透過率変更の設定画面の一例を示す図
【図７】本発明の実施例を示すリモートコントローラの一例を示す図
【図８】従来技術によるメニュー画面の表示設定変更の手順を示すフローチャート
【符号の説明】
【００４４】
１  テレビジョン受像機
２  マイクロコンピュータ
３  テレビジョンモニタ
４  リモートコントローラ
５  リモートコントローラ受光部
６  メモリ
【図１】
2006157684.tif 000003
【図２】
2006157684.tif 000004
【図３】
2006157684.tif 000005
【図４】
2006157684.tif 000006
【図５】
2006157684.tif 000007
【図６】
2006157684.tif 000008
【図７】
2006157684.tif 000009
【図８】
2006157684.tif 000010